(57)【特許請求の範囲】
【請求項１】
遊技店の駐車場内の少なくとも１台毎の複数の駐車スペースの各々に設けられ、かつ、該駐車スペースに駐車された車を撮影する複数の撮影手段と、
前記複数の撮影手段の各々に対応して配置され、会員カードから会員の識別情報を読み取ると共に読み取った会員の識別情報及び該対応する駐車スペースの識別情報を出力する第１の出力手段と、
前記遊技店に設けられた表示手段と、
前記表示手段に対応して配置され、会員カードから会員の識別情報を読み取ると共に読み取った会員の識別情報を出力する第２の出力手段と、
前記第２の出力手段から出力された会員の識別情報、前記第１の出力手段から出力された会員の識別情報及び駐車スペースの識別情報に基づいて、第２の出力手段から出力された会員の識別情報と同一の会員の識別情報が出力された前記第１の出力手段に対応する前記撮影手段により撮影された画像及び所定情報の少なくとも一方が表示されるように前記表示手段を制御する制御手段と、
を備えたことを特徴とする駐車場の監視装置。
【請求項２】
前記表示手段は、前記遊技店内に設けられた複数の遊技機の各々の周辺に配置された複数の画像表示手段で構成され、
前記第２の出力手段は、前記複数の画像表示手段の各々に対応して設けられた、
ことを特徴とする請求項１記載の駐車場の監視装置。
【発明の詳細な説明】
【０００１】
【発明の属する技術分野】
本発明は、駐車場の監視装置に係り、より詳しくは、パチンコ店等の遊技店の駐車場に駐車した車を監視する駐車場の監視装置に関する。
【０００２】
【従来の技術及び発明が解決しようとする課題】
パチンコ店で遊技しようとする者の多くは、車で来店し、駐車場に車を駐車した後、パチンコ店内の遊技機で遊技する。ところで、夜間等において車で来店すると、ライトを消し忘れて遊技する場合があり、これによりバッテリがなくなり、ひいてはエンジンをかけられなくなる等の問題が発生していた。また、パチンコ店内からは自分の車を監視することはできないので、車荒らしがあったとしても、これを防止することはできない。
【０００３】
本発明は、上記事実に鑑みなされたもので、駐車場に駐車した車を監視することのできる駐車場の監視装置を提案することを目的とする。
【０００７】
【課題を解決するための手段】
上記目的達成のため請求項１記載の発明は、遊技店の駐車場内の少なくとも１台毎の複数の駐車スペースの各々に設けられ、かつ、該駐車スペースに駐車された車を撮影する複数の撮影手段と、前記複数の撮影手段の各々に対応して配置され、会員カードから会員の識別情報を読み取ると共に読み取った会員の識別情報及び該対応する駐車スペースの識別情報を出力する第１の出力手段と、前記遊技店に設けられた表示手段と、前記表示手段に対応して配置され、会員カードから会員の識別情報を読み取ると共に読み取った会員の識別情報を出力する第２の出力手段と、前記第２の出力手段から出力された会員の識別情報、前記第１の出力手段から出力された会員の識別情報及び駐車スペースの識別情報に基づいて、第２の出力手段から出力された会員の識別情報と同一の会員の識別情報が出力された前記第１の出力手段に対応する前記撮影手段により撮影された画像及び所定情報の少なくとも一方が表示されるように前記表示手段を制御する制御手段と、を備えたことを特徴とする。
【０００８】
即ち、遊技店の駐車場内の少なくとも１台毎の複数の駐車スペースの各々には複数の撮影手段が設けられている。複数の撮影手段の各々は、該駐車スペースに駐車された車を撮影する。
【０００９】
ここで、駐車スペースに車を駐車した者は、会員カードを該駐車スペースに対応して配置された第１の出力に読み取らせる。これにより、第１の出力手段は、会員カードから会員の識別情報を読み取ると共に読み取った会員の識別情報及び該対応する駐車スペースの識別情報を出力する。
【００１０】
なお、遊技店には、表示手段が設けられている。また、表示手段には、該表示手段に対応して第２の出力手段が配置されている。
【００１１】
一方、車の様子を確認したいと思う遊技者は、第２の出力手段に、会員コードを読み取らせる。これにより、第２の出力手段は、会員カードから会員の識別情報を読み取ると共に読み取った会員の識別情報を出力する。
【００１２】
そして、制御手段は、第２の出力手段から出力された会員の識別情報、第１の出力手段から出力された会員の識別情報及び駐車スペースの識別情報に基づいて、第２の出力手段から出力された会員の識別情報と同一の会員の識別情報が出力された第１の出力手段に対応する前記撮影手段により撮影された画像及び所定情報の少なくとも一方が表示されるように表示手段を制御する。
【００１３】
このように、第２の出力手段から出力された会員の識別情報と同一の会員の識別情報が出力された第１の出力手段に対応する撮影手段により撮影された画像（撮影内容（駐車スペースに駐車された車））及び所定情報（警戒情報等）の少なくとも一方が表示されるので、遊技店の駐車場内の複数の駐車スペースのいずれかに駐車した自己の車を選択して確認することができ、駐車場の監視装置の利便性が向上する。
【００１４】
なお、監視表示手段を更に備え、該監視表示手段に、複数の撮影手段により撮影された車を順に、又は、所定個数単位で表示させてオペレータに監視させて、該オペレータにより指示手段を介して指示されたときに、又は、表示手段に該指示手段を備え、遊技客により該指示手段を介して指示されたときに、第２の出力手段から出力された会員の識別情報と同一の会員の識別情報が出力された第１の出力手段に対応する前記撮影手段により撮影された画像及び所定情報の少なくとも一方が表示されるように表示手段を制御するようにしてもよい。
【００１５】
ところで、表示手段は、遊技店に１個設けてもよく複数設けてもよく、更に、請求項２記載の発明のように、表示手段を、遊技店内に設けられた複数の遊技機の各々の周辺に配置された複数の画像表示手段で構成してもよい。
【００１６】
この場合、第２の出力手段を、複数の画像表示手段の各々に対応して設ける。
これにより、遊技店の駐車場内の複数の駐車スペースのいずれかに駐車した自己の車を選択して、自己が遊技している遊技機の周辺に配置された画像表示手段で確認することができ、遊技しながら自己の車を選択して確認することができ、駐車場の監視装置の利便性が更に向上する。
【００１７】
【発明の実施の形態】
以下、本発明の第１の実施の形態を図面を参照して詳細に説明する。図１には、パチンコ店の敷地１０が示されている。敷地１０には、店舗１２と、駐車場１４とにより区分されている。
【００１８】
店舗１２には、パチンコ機、パチスロ機等の遊技機が複数配置された複数の島１４Ｎ１  、１４Ｎ２  、…１４Ｎｎ  が配置されている。また、店舗１２には、オペレータが常時待機している監視室１６が設けられている。
【００１９】
駐車場１４は、各々１台の車を駐車するための駐車スペース２０Ｎ１  、２０Ｎ２  、…２０Ｎｎ  が設けられている。駐車スペース２０Ｎ１  、２０Ｎ２  、…２０Ｎｎ  には、次に説明するように、同様の装置が設けられているので、駐車スペース２０Ｎ１  のみを説明し、他の説明を省略する。
【００２０】
駐車スペース２０Ｎ１  には、駐車スペース２０Ｎ１  を撮影するカメラ２２、及び会員カードから会員のＩＤコードを読み取る図示しないカードリーダ、駐車した車の車止めをする車止め装置を含んで構成された駐車装置２４が設けられている。
【００２１】
また、島１４Ｎ１  、１４Ｎ２  、…１４Ｎｎ  は、同様の構成となっているので、島１４Ｎ１  のみを説明し、他の説明を省略する。島１４Ｎ１  は、図２に示すように、複数の遊技機３０Ｎ１  、３０Ｎ２  、…３０Ｎｎ  が設けられている。遊技機３０Ｎ１  、３０Ｎ２  、…３０Ｎｎ  の各々には、周辺（本形態では上部（なお、周辺であれば上部に限定されない））に表示装置３２Ｎ１  、３２Ｎ２  、…３２Ｎｎ  が設けられている。この表示装置３２Ｎ１  、３２Ｎ２  、…３２Ｎｎ  には、会員カードを挿入する挿入口Ｋが設けられている。
【００２２】
次に、本形態の監視装置の制御系を説明する。本制御系は、図３に示すように、監視室１６に備えられたコンピュータ５０を備えている。コンピュータ５０は、ＣＰＵ５２、ＲＯＭ５４、ＲＡＭ５６、入出力ポート５８を備え、これらはバス６０により相互に接続されている。入出力ポート５８には、駐車スペース２０Ｎ１  、２０Ｎ２  、…２０Ｎｎ  の各々に配置された駐車装置２４、カメラ２２が接続され、更に、島１４Ｎ１  、１４Ｎ２  、…１４Ｎｎ  の各々に設けられた遊技機３０Ｎ１  、３０Ｎ２  、…３０Ｎｎ  の周辺に配置された表示装置３２Ｎ（３２Ｎ１  、３２Ｎ２  、…３２Ｎｎ  ）が接続されている。さらに、この入出力ポート５８には、外部記憶装置６２及び監視モニタ６４が接続されている。
【００２３】
次に、本形態の作用を説明する。
駐車場を備えた遊技店の遊技機で遊技しようとする者の多くは、車で来店する。車で来店した者は、車を駐車スペース２０Ｎ１  、２０Ｎ２  、…２０Ｎｎ  のいずれか、例えば、駐車スペース２０Ｎ１  に駐車する。車が駐車スペース２０Ｎ１  に駐車されると駐車装置２４は、図示しない光センサにより車の駐車を確認して車止め装置を制御して車止めをする。
【００２４】
一方、遊技者は、駐車装置２４のカードリーダに会員カードを挿入する。会員カードがカードリーダに挿入されると、駐車装置２４は、読み取った会員のＩＤコードと駐車スペース２０Ｎ１  のＩＤコードとをコンピュータ５０に出力する。
【００２５】
このように駐車装置２４から、会員のＩＤコードと駐車スペースのＩＤコードとを入力すると、監視室１６内に備えられたコンピュータ５０は、図４に示した割り込み処理ルーチンをスタートし、ステップ７０で、駐車スペースのＩＤコードを会員のＩＤコードと対応して記憶装置６２に記憶する。
【００２６】
一方、遊技者は、自己が遊技を望む遊技機の前に座り遊技を開始する。遊技を開始する際遊技者は、会員カード挿入口Ｋに会員カードを挿入する。会員カード挿入口Ｋに会員カードが挿入された表示装置３２Ｎは、挿入された会員カードから会員のＩＤコードを読み取り、会員のＩＤコードと表示装置３２Ｎの識別コードとをコンピュータ５０に出力する。
【００２７】
表示装置３２から、表示装置３２のＩＤコードと会員のＩＤコードとを入力すると、監視室１６内に備えられたコンピュータ５０は、図５に示した割り込み処理ルーチンをスタートし、ステップ７２で、会員のＩＤコードに対応して駐車スペースのＩＤコードが記憶されているか判断する。会員のＩＤコードに対応して駐車スペースのＩＤコードが記憶されている場合には、該会員のＩＤコードで識別される会員（遊技者）は、車で来店したと判断することができる。
【００２８】
次のステップ７４で、駐車スペース２０ＮのＩＤコードに対応して、表示装置３２ＮのＩＤコードを記憶する。なお、既に表示装置のＩＤコードが記憶されている場合には、既に記憶したＩＤコードに重ねて表示装置３２ＮのＩＤコードを記憶する。これにより、会員のＩＤコードで識別される会員がいずれの表示装置３２Ｎに対応する遊技機で遊技しているか判断することができる。なお、ステップ７２の判断が否定判定の場合には、本ルーチンを終了する。
【００２９】
次に、車の監視処理ルーチンを図６を参照して説明する。図６のステップ７６で、駐車スペース２０Ｎ１  、２０Ｎ２  、…２０Ｎｎ  を順に識別する変数Ｃを０に初期化し、ステップ７８で、変数Ｃを１インクリメントし、ステップ８０で、変数Ｃが、駐車スペースの総数Ｃ０  以下であるか否かを判断する。
【００３０】
なお、変数Ｃ＝１．２．３・・・ｎにより、駐車スペース２０Ｎ１  、２０Ｎ２  、…２０Ｎｎ  がそれそれ対応し、駐車スペースが合計ｎであれば総数Ｃ０  はｎである。
【００３１】
変数Ｃが、駐車スペースの総数Ｃ０  以下である場合には、ステップ８２で、変数Ｃで識別される駐車スペースのＩＤコードが記憶されているか判断する。駐車スペースのＩＤコードが記憶されていない場合には、ステップ７８に戻り、駐車スペースのＩＤコードが記憶されている場合には、ステップ８４で、駐車スペースＩＤコードに基づいて、駐車スペースに設けられたカメラ２２に撮影指示信号を出力する。
【００３２】
撮影指示信号を入力したカメラ２２は、駐車スペースを撮影し撮影データをコンピュータ５０に出力する。このようにカメラ２２から撮影データを受信するとステップ８６が肯定判定となって、ステップ８８で、監視モニタ６４に、撮影内容を表示する。
【００３３】
監視室１６に待機しているオペレーターは、監視モニタ６４に表示された内容を見て、車に異常があるか確認する。なお、車の異常には、車荒らしや、ライトの消し忘れなどがある。車の異常がある場合には、図示しない異常ボタンをオンする。これによりステップ９０の判断が肯定され、ステップ９２で、駐車スペースのＩＤコードに対応して表示装置のＩＤコードが記憶されているか判断する。表示装置のＩＤコードが記憶されていない場合には、ステップ７８に戻る。一方、表示装置のＩＤコードが記憶されている場合には、ステップ９４で、該ＩＤコードにより識別される表示装置に撮影データを出力する。これにより、該表示装置には、カメラで撮影された画像（撮影内容（車））が表示される。なお、撮影データに代えて、又は撮影データと共に、警戒情報（車を確認して下さい等）を出力したり、警告灯を点灯したり、ブザーを鳴らしたり、してもよい。
【００３４】
このように、自己が遊技しているパチンコ機の上部に設けられた表示装置に、異常が発生している自己の車が表示されるので、遊技者は、遊技をしながら自己の車の異常を知ることができる。よって、車の異常を知った遊技者は、遊技を終了し、表示装置３２Ｎから会員カードを排出して、自己の車を駐車した駐車スペースに駆けつけることができる。
【００３５】
ところで、遊技者が、遊技を終了した後は、駐車スペースに戻って、駐車装置のカードリーダに会員カードを挿入する。この場合、駐車装置は、車止め装置を制御して車止めをしているので、遊技者が退去することを認識することができる。
【００３６】
そこで、駐車装置２４は、車止め装置を制御して車止めをしているとき、会員カードが挿入された場合に、退去信号と駐車スペースのＩＤコードとをコンピュータ５０に出力する。駐車装置２４から退去信号と駐車スペースのＩＤコードとが入力された場合、コンピュータ５０は、図７に示した割り込み処理ルーチンをスタートし、ステップ９６で、車止め解除信号を出力する。これにより駐車装置２４は、車止め装置を制御して車止めを解除することになる。
【００３７】
なお、会員でないものが無断で駐車スペースに車を駐車すると車止めされ、会員カードを挿入等しなければ車止めを解除することができないので、無断駐車を防止又は抑制することができる。
【００３８】
次のステップ９８で、駐車スペースのＩＤコードと対応して記憶している会員のＩＤコード、表示装置のＩＤコードを消去する。
【００３９】
以上説明したように本形態は、遊技者の車に異常があった場合、遊技者が遊技している遊技機の表示装置に、異常が発生している車が表示されるので、遊技者は異常が発生している自己の車を確認することができる。これにより、遊技者は表示装置に自己の車が表示されなければ自己の車に異常が発生していないと判断できるので、安心して遊技を楽しむことができる。
【００４０】
次に、本発明の第２の実施の形態を説明する。本形態の構成は、前述した第１の実施の形態と同様の構成となっているので、同一部分には同一の符号を付してその説明を省略し、異なる部分のみを説明する。なお、異なる部分は表示装置３２Ｎに、自己の車の表示を指示して監視する図示しない監視スイッチを設けている点で相違する。
【００４１】
次に、本形態の作用を説明する。前述した第１の実施の形態は、監視室１６に待機しているオペレーターが監視モニタを監視して遊技者の車に異常が発生したか否かを監視しているが、本形態は、遊技者が直接表示装置を介して監視するようにしたものである。
【００４２】
すなわち、例えば、前述した第１の実施の形態でステップ９４で、警戒情報が出力され、表示装置に『車を確認して下さい』等が表示された場合等、遊技者が表示装置に自分の車を表示させたいと思う場合がある。この場合、遊技者は、表示装置の監視スイッチをオンする。このように、監視スイッチがオンされた場合表示装置３２Ｎは、図８に示した割り込み制御ルーチンをスタートし、ステップ１０２で会員カードが挿入されているか否か判断し、会員カードが挿入されている場合にはステップ１０４で、会員カードのＩＤコード、表示装置のＩＤコード、及び撮影指示信号をコンピュータ５０に出力する。
【００４３】
次のステップ１０６で、コンピュータ５０から、撮影データを入力したか否か判断し、撮影データを入力した場合に、ステップ１０８で撮影内容を表示する。なお、ステップ１０２が否定判定の場合には、ステップ１１０で、会員カード否挿入を表示する。
【００４４】
撮影指示信号を入力したコンピュータ５０は、図９に示した割り込み制御ルーチンをスタートし、ステップ１１２で、会員のＩＤコードに対応して駐車スペースのＩＤコードが記憶されているか否かを判断する。駐車スペースのＩＤコードが記憶されている場合には、ステップ１１４で、カメラに撮影指示信号を出力する。
【００４５】
次に撮影指示信号を入力したカメラは、駐車スペースを撮影して、撮影データをコンピュータ５０に出力する。このようにカメラから撮影データを入力すると、ステップ１１６が肯定判定となって、ステップ１１８の撮影データを表示装置に出力する。
【００４６】
以上説明したように本形態は、遊技者の自由意思により自己の車を監視することができる。これにより、遊技者は表示装置に自己の車が表示されなければ自己の車に異常が発生していないと判断できるので、安心して遊技を楽しむことができる。
【００４７】
以上説明した第１及び第２の実施の形態では、表示装置を、遊技店内に設けられた複数の遊技機の各々の周辺に配置する例を説明したが、本発明はこれに限定されるものでなく、遊技店に１個、又は複数の所定箇所（遊技機の周辺以外）に備えてもよい。
【００４８】
【発明の効果】
以上説明したように本発明は、表示手段に表示された画像を確認することができ、遊技店内にいながら遊技店の駐車場に駐車された車を監視することができる、という効果を有する。
【図面の簡単な説明】
【図１】遊技店の敷地を示した図である。
【図２】１つの島を示した図である。
【図３】本形態の駐車場の監視装置の制御系を示したブロック図である。
【図４】会員のＩＤコード及び駐車スペースのＩＤコードを入力したとき割り込んで実行する割り込み制御処理ルーチンを示すフローチャートである。
【図５】会員のＩＤコード及び表示装置のＩＤコードを入力したとき割り込んで実行する割り込み制御処理ルーチンを示すフローチャートである。
【図６】車の監視処理ルーチンを示すフローチャートである。
【図７】遊技者が退店する際に実行する割り込み制御ルーチンを示すフローチャートである。
【図８】本発明の第２の実施の形態の監視スイッチがオンされた場合に実行する制御ルーチンを示すフローチャートである。
【図９】本形態の車の監視処理ルーチンを示すフローチャートである。
【符号の説明】
１０    敷地
２２    カメラ
２４    駐車装置
３２Ｎ    表示装置
５０    コンピュータ
【図１】
0003621516.tif 000002
【図２】
0003621516.tif 000003
【図３】
0003621516.tif 000004
【図４】
0003621516.tif 000005
【図５】
0003621516.tif 000006
【図６】
0003621516.tif 000007
【図７】
0003621516.tif 000008
【図８】
0003621516.tif 000009
【図９】
0003621516.tif 000010